(57)【要約】【課題】従来技術では困難な問題が多い、常時流水のある開渠型水路又は暗渠型水路でＢＯＸ型、円型、卵型、馬蹄型の水路復旧部分の作業エリアを渇水状態にできる水路開閉装置、及び水路開閉装置を使用して水路復旧工事を行なう水路復旧方法を提供する。【解決手段】常時流水のある水路の縦壁面部分と縦形状が同じで断面がＬ型形状の２面に止水ゴムを持つ本体固定ジグをジグ固定金物で水路壁面の両側に設置固定し、水路壁面の両側に設置固定された２本の本体固定ジグに、上部と下部に止水ゴムを持つ水路開閉装置本体を合体用金物で合体することにより、水路の内部は本体固定ジグと水路開閉装置本体により遮蔽され、水路開閉装置の持つ加圧作動開閉耐重圧蓋により大型水路の流水は一時せきとめる、又は流すことができることを特徴とする水路開閉装置と水路開閉装置を使用した水路復旧工法。【選択図】図１６
2009074337.tif 000002
【特許請求の範囲】
【請求項１】
常時流水のある開渠型又は暗渠型水路の復旧部分の縦壁面部分と縦形状が同じで断面がＬ型形状の２面に止水ゴムを持つ本体固定ジグをジグ固定金物で水路壁面の両側に設置固定し、前記水路壁面の両側に設置固定された２本の本体固定ジグに、下部のみ又は上部と下部に止水ゴムを持つ水路開閉装置本体を合体用金物で合体すれば、前記水路の内部は本体固定ジグと水路開閉装置本体により遮蔽され、前記水路の流水は一時せきとめることができることを特徴とする水路開閉装置。
【請求項２】
請求項１記載の水路開閉装置本体には、水中で水圧を受けながら油圧又は水圧装置の複動力で短時間に開閉できる加圧作動開閉耐重圧蓋を持つ筒管が一箇所又は複数箇所に水路開閉装置本体と補強リブで接合されており、前記の加圧作動開閉耐重圧蓋を開閉させることにより、短時間に水を止める、流すことができる、前記の構造からなる水路開閉装置本体を持つことを特徴とする水路開閉装置。
【請求項３】
請求項１、２記載の水路開閉装置本体には水路開閉装置本体と補強リブで接合された連結筒状管接続用の筒管を持ち、請求項１記載のように水路開閉装置本体を離れた位置に２台設置し、設置された２台の水路開閉装置本体の中間を連結筒状管で接続し一体化できることを特徴とする水路開閉装置。
【請求項４】
請求項１、２、３記載の水路開閉装置本体は、前記水路内に水路開閉装置本体を取付ける部分の水路内の高さより水路開閉装置本体の高さを長くし、水路開閉装置本体上部２と水路開閉装置本体下部１から構成され、水路開閉装置本体上部２と水路開閉装置本体下部１はちょうつがい接続されており、水路開閉装置本体を垂直に立てた状態で水路開閉装置本体上部２を下方に折りたたむことができる、さらに水路開閉装置本体上部２と水路開閉装置本体下部１をつなぐ複動式油圧シリンダーが取付けられる構造を持ち、複動式油圧シリンダーを取付ることにより、複動式油圧シリンダーの動力で水路開閉装置本体上部２を垂直まで起こすことができる前記構造を持つことを特徴とする水路開閉装置。
【請求項５】
請求項１記載の本体固定ジグを前記水路の壁面に固定するためのジグ固定金物は使用目的の異なる２本のボルトを持ち、一方のボルトは前記水路の壁面にジグ固定金物を固定し、他方のボルトでジグ固定金物と一体化されたボルト受けにねじ込み本体固定ジグを押付けることにより、本体固定ジグに取付けられた止水ゴムが押付けられ、水路の壁面と本体固定ジグに取付けられた止水ゴムを密着させ止水することができる構造とした本体固定ジグとジグ固定金物を持つことを特徴とする水路開閉装置。
【請求項６】
請求項１記載の本体固定ジグと請求項１から請求項５記載の水路開閉装置本体の合体に使用される合体用金物は使用目的の異なる２本のボルトを持つ、一方のボルトは水路開閉装置本体と合体用金物を締付け、本体固定ジグに水路開閉装置本体を仮固定させ、他方のボルトをジグ固定金物と一体化されたボルト受けにねじ込み本体固定ジグを押付ければ、本体固定ジグに取付けられた止水ゴムが水路開閉装置本体に押付けられ、本体固定ジグに取付けられた止水ゴムを水路開閉装置本体と密着させ止水することができる構造とした本体固定ジグと合体用金物を持つことを特徴とする水路開閉装置。
【請求項７】
請求項１から請求項６の中に記載の水路開閉装置の持つ本体固定ジグと水路開閉装置本体はＢＯＸ型、円型、卵型、馬蹄型の前記水路の断面形状に合わせた形状にできることからＢＯＸ型、円型、卵型、馬蹄型の前記水路に設置使用できることを特徴とする水路開閉装置。
【請求項８】
請求項１から請求項７記載の水路開閉装置を前記水路の復旧部分の上流と下流部分２箇所に請求項１記載のように設置し、２箇所に設置された水路開閉装置の中間部分に請求項３記載の水路開閉装置本体が持つ各連結筒状管接続用の筒管に連結用筒状管を接続すれし、請求項２記載の加圧作動開閉耐重圧蓋を閉鎖すれば、前記水路の復旧部分の上流と下流部分に設置された２箇所の水路開閉装置の中間部分は水のないエリアを確保できることから前記水路の復旧部分の復旧が可能となることを特徴とする水路復旧方法。
【発明の詳細な説明】
【技術分野】
【０００１】本発明は、上水又は下水で常時流水のある断水不可能な開渠型又は暗渠型で断面形状がＢＯＸ型、円型、卵型、馬蹄型の水路の流水を止めることなく水路修復工事又は水路の切替え流路変更工事又は水路の耐震補強工事などに使用される水路開閉装置、及び水路開閉装置を使用して前記の工事を行なう作業エリアを渇水状態にできる水路復旧方法に関する。
【背景技術】
【０００２】地震や災害或いは事故等で上水又は下水の管路が損傷した場合、損傷した部分の復旧工事、又は管路が古くなり取替える工事に上水又は下水管の水流を止めずに工事が出来る特許文献１記載の管路開閉装置、又は特許文献２記載の上水又は下水用管路開閉装置と一体化された内導管式加圧作動開閉耐重圧蓋装置を使用した上水又は下水用管路復旧工法がある、また特許文献３記載の筒状可変形導管及び下水用管路仮管工事方法がある。
【特許文献１】特許番号  第２９０００２２号
【特許文献２】特開２００７−２６４４
【特許文献３】特願２００７−２０８５８１
【発明の開示】
【発明が解決しようとする課題】
【０００３】しかしながら、上下水道の上水又は下水の管路が損傷した部分の復旧工事、管路が古くなり取替える工事、又は管路の新設に伴う流路変更工事などに対応した特許文献１記載の上水又は下水用管路復旧工法は上水又は下水用管路復旧工法使用される特許文献１記載の管路開閉装置、又は特許文献２記載の上水又は下水用管路開閉装置と一体化された内導管式加圧作動開閉耐重圧蓋装置が共に円形筒状であるため、工事部分の管路が筒型形状のみに適用するものであり、工事部分の水路の断面形状がＢＯＸ型、卵型、馬蹄型の水路には対応できない問題がある。【０００４】また、近年、都市開発などに伴うインフラストラクチャーの整備で地下鉄工事に伴う水路の移設、新設、又は都市開発に伴う高架橋の高架柱工事に伴う水路の移設、新設、又は地震に備えた古い水路の耐震補強工事は緊急性を要するなど、水路の整備が行われているが、前記の工事を行う部分には断水不可能な生活用水・雨水が流れており、さらに水路断面の大きさは水路を流れる最大流量を想定して設計構築されていることから、水路断面の大きい水路内の流水は多量になることも考えられ、前記の工事を行う場合は多量の流水を想定した方法で作業エリアを渇水状態にする必要があるが、従来の方法では断面形状がＢＯＸ型、卵型、馬蹄型で多量の流水が想定される水路内の必要な作業エリアを渇水状態にできない問題がある。
【課題を解決するための手段】
【０００５】上記問題を解決するために、常時流水があり、又多量の流水が想定される開渠型又は暗渠型の水路で復旧しようとする部分の断面形状がＢＯＸ型、円型、卵型、馬蹄型のそれぞれの断面に合わせた本体固定ジグ図４、５と水路開閉装置本体を以下説明のように設置すれば、水路の復旧しようとする部分の流水を一時せきとめ渇水状態にする、又は流すことができることを特徴とする水路開閉装置を発明した。【０００６】まず、常時流水のある開渠型水路又は暗渠型水路の復旧しようとする部分の縦壁面部分と縦形状が同じで、断面がＬ型形状の２面に止水ゴム１９を持つ本体固定ジグ図４、５をジグ固定金物２１とねじ山を持つボルトで、図９に示すように水路壁面の復旧しようとする部分の両側に設置固定する、前記のジグ固定金物２１は使用目的の異なる２本のボルトを持ち、一方のボルト２８は水路の壁面の所定位置に取付けられたネジ溝を有するアンカー２７にねじ込み締付けし、ジグ固定金物２１を固定する、他方のボルト２９はジグ固定金物２１と一体化されたネジ溝を有するナット２０にねじ込み本体固定ジグ図４，５を押付け本体固定ジグに取付けられた止水ゴム１９を押付け、復旧しようとする部分の水路の壁面に本体固定ジグ２１に取付けられた止水ゴム１９を圧縮密着させ前記縦壁面部分を止水状態にすることができる。【０００７】前記水路が暗渠型の場合、０００６、０００８記載の作業を行うために、まず、重量物である本体固定ジグと水路開閉装置本体を水路内に取込で復旧しようとする部分まで００１８，００１９記載の天井走行ホイスト４３移動させる、しかし水路開閉装置本体を取付ける部分の水路内の高さより水路開閉装置本体の高さを長くしているため、天井走行ホイスト４３に吊りこみ移動は出来ないことから、請求項４記載の構造から水路開閉装置本体の水路開閉装置本体上部２を倒した状態にして天井走行ホイスト４３に吊りこみ移動し、０００７記載の作業を行う、又前記水路が開渠型の場合は上部が開口であり移動式クレーンなどで前記作業ができるため、前記水路開閉装置本体の水路開閉装置本体上部２を必ずしも必要としない。【０００８】前記水路が暗渠型の場合、０００６記載のように、復旧しようとする部分の水路壁面の両側に設置固定された２本の本体固定ジグ図４、５に、復旧しようとする部分の水路断面用の上部と下部に止水ゴム９，１２を持つ請求項１〜４の中に記載の水路開閉装置本体を合体用金物２４とねじ山を持つボルトで図９に示すように合体する、合体に使用される合体用金物２４は使用目的の異なる３本のボルトを持ち、一方の２本のボルト２８は水路開閉装置本体に一体化されたネジ溝を有するナット１１に合体用金物２４をボルトで締付け一体化し水路開閉装置本体を本体固定ジグに仮固定し、他方のボルト３０は合体用金物と一体化されたネジ溝を有する合体用金物ボルト受け２５にねじ込み本体固定ジグを締付けることにより本体固定ジグに取付けられた止水ゴム１９は水路開閉装置本体に押付けられ、本体固定ジグに付けられた止水ゴム１９と水路開閉装置本体を圧縮密着させ止水状態にすることができる、又前記水路が開渠型の場合は下部のみに止水ゴム１２を持つ前記水路開閉装置本体を前記と同様に取付ける。【０００９】前記水路が暗渠型の場合、０００６、０００７、０００８記載の作業を行い、請求項４記載にある複動式油圧シリンダーを水路開閉装置本体に取付け、取付けられた複動式油圧シリンダーの動力で水路開閉装置本体上部２を起こすと、前記水路開閉装置本体は水路開閉装置本体を取付ける部分の水路内の高さより水路開閉装置本体の高さを長くしているため、水路開閉装置本体上部２の上部にある止水ゴム９が大型水路内の天井部分に接触し、さらに複動式油圧シリンダーの動力で水路開閉装置本体上部２を垂直まで起こすと水路開閉装置本体が下方に押付けられ、水路開閉装置本体の上下にある止水ゴム９，１２は、水路の天井部分と床部分に圧縮密着し、水路の天井部分と床部分を止水状態することができる、又前記水路が開渠型の場合は前記水路開閉装置本体の水路開閉装置本体下部１の上部から加重すれば床部分を止水状態することができる。【００１０】上記０００６記載の作業を行えば復旧しようとする部分の水路壁面の両側は本体固定ジグに取付けられた止水ゴム１９により止水され、０００８記載の作業を行えば本体固定ジグに取付けられた止水ゴム１９が水路開閉装置本体と接触する部分は止水される、さらに０００９記載の作業を行えば水路開閉装置本体で水路の天井部分と床部分又は床部分が止水され、前記開渠型水路又は暗渠型水路の復旧しようとする部分の水路は水路開閉装置により遮蔽され、前記水路の流水は一時せきとめることができる。【００１１】さらに、請求項２記載の水中で水圧を受けながら油圧又は水圧装置の複動力で短時間に開閉できる加圧作動開閉耐重圧蓋３を持つ筒管が一箇所又は複数箇所に水路開閉装置本体と補強リブで接合されており、加圧作動開閉耐重圧蓋３を開閉させることにより、短時間に水を止める、流すことができることから、水路開閉装置により遮蔽された復旧しようとする部分の水路は水路開閉装置の持つ加圧作動開閉耐重圧蓋３を開閉させることにより、短時間に水を止める、流すことができることを特徴とする。【００１２】請求項３記載の通り水路開閉装置の持つ水路開閉装置本体は水路開閉装置本体と補強リブで接合された連結筒状管接続用の筒管８を持ち、この連結筒状管接続用の筒管８の片側には特許文献３記載の自在受けリング金物６を取付け、連結筒状管接続用の筒管８に連結される相手方の筒状管３８，４０に締付け用ボルト受け金物５３を取付け、締付け用ボルト金物５２で締付ければ止水連結ができる、又は特許文献３記載の自在受けリング金物を取付けず連結筒状管の各接続部分に押し輪止水ゴム５７を使用し、押し輪接続用筒状管図２２で連結しても止水連結ができる。【００１３】請求項１から請求項７記載の水路開閉装置を常時流水のある、又多量の流水が想定される開渠型水路又は暗渠型水路の復旧部分の上流と下流部分２箇所に００１１に記載の加圧作動開閉耐重圧蓋３を全箇所開放状態にして０００６から０００９記載のように設置し、上流と下流部分２箇所に設置された水路開閉装置の中間部分の１／２よりわずかに短い連結筒状管３８，４０をそれぞれ００１２記載にように接続し、水路開閉装置に接続された２本の連結筒状管３８，４０に押し輪止水ゴム５７を使用し、押し輪接続用筒状管で連結すれば図２２に示すようになる、次に前記の加圧作動開閉耐重圧蓋を閉鎖すれば、水路の復旧部分の流水は接続された連結筒状管の内部を流れ、前記水路の復旧部分の残留水を排出すれば、前記水路の復旧部分の作業エリアは渇水状態にすることができることを特徴とする水路復旧方法。
【発明の効果】
【００１４】以上の通り、本発明の水路開閉装置を発明したことにより従来困難であった、常時流水があり、又多量の流水が想定される開渠型水路又は暗渠型水路の水路内断面形状がＢＯＸ型、円形、卵型、馬蹄型をした復旧工事部分に水路開閉装置を設置すれば、水路内の流水を短時間に水を止める、又は流すことができるため、水路開閉装置を使用した水路復旧方法で０００４記載の都市開発などに伴うインフラストラクチャーの整備、又は地震に備えた古い水路の耐震補強工事などで常時流水があり、又多量の流水が想定される水路の復旧部分で工事を行うための作業エリアを渇水状態にして安全で衛生的な作業環境を構築できることから、事前に作業手順計画を立案して計画的に水路の復旧部分の工事を進めることが可能となる。【００１５】また、水路開閉装置を使用した大型水路復旧方法で特許文献３記載の筒状管自在継手を併用すれば、さらに作業効率がよくなる。
【発明を実施するための最良の形態】
【００１６】以下に、図面（図１０）から（図２１）に沿って本発明の水路開閉装置及び連結用筒状管を使用した水路復旧方法について説明する、水路復旧方法を実施する最良の形態は連結用筒状管と本発明の水路開閉装置を使用する、ここでは暗渠型水路の復旧工事部分（復旧工事作業エリア部分）の流水を遮断し、復旧工事部分を水のない状態にする方法を説明する、本発明の水路開閉装置及び連結用筒状管が連結された状態は図１８に示す、また００３４から００４２記載の説明（図１９から図２１）は水路復旧方法を使用した排水路の流路変更方法である。【００１７】復旧しようとする既設水路４８の上部に図１７の水路開閉装置本体搬入用開口部４１を設ける、また送風及び作業員の出入り口用開口部４２を設ける。【００１８】次に、復旧しようとする既設水路内部３１の天井部分に図１０に示す天井走行ホイスト４３用の天井ホイスト走行ビーム３２を水路開閉装置本体が設置される範囲まで図１０、図１７に示すように設置する。【００１９】次に、重量物である図４に示す本体固定ジグ、図１、図２、図３に示す水路開閉装置本体及び連結用筒状管３８，３９，４０の水平移動・組立設置作業用の天井走行ホイスト４３を図１１、図１７に示すように、００１８記載の天井ホイスト走行ビーム３２に取付ける。【００２０】復旧しようとする既設水路壁面２６の所定位置に図４に示す本体固定ジグを図６に示すジグ固定金物で固定するための締付けボルト２８受け用ホールインアンカー２７を打つ。【００２１】００１９記載の天井走行ホイスト４３を使用し、図４に示す各本体固定ジグを所定位置まで移動し、図６に示すジグ固定金物２１と締付けボルト２８で図９、図１２に示すように各本体固定ジグを固定し、さらに本体固定ジグ締付け用固定ボルト２９で締付けることにより、本体固定ジグに貼りつけられた止水ゴム１９と復旧しようとする既設水路壁面２６は圧密接合され止水状態となる。【００２２】次に、図１、図２、図３に示す水路開閉装置本体を００１９記載の天井走行ホイスト４３を使用し、００１７記載の開口部４１から遠い部分に、００２１記載のように設置固定された本体固定ジグの位置に移動させるが、水路開閉装置本体の縦長さは復旧しようとする既設水路内部３１の高さ寸法より長く製作されているため、水路開閉装置本体の水路開閉装置上部２の部分に取付けられた複動式油圧シリンダー１３を取外し、図１７に示すように水路開閉装置上部２を補強されたちょうつがい部分１４から折りたたんだ状態で、００１９記載の天井走行ホイスト４３に吊り込む。【００２３】また、００２２記載の水路開閉装置本体の移動、据付時は復旧しようとする既設水路内には常時流水があるため、水路開閉装置に取付けられた加圧作動開閉耐重圧蓋３に取付けられた複動式油圧シリンダー５の加圧装置を引き側にして加圧し、加圧作動開閉耐重圧蓋３を開き図１７に示すように、流水の水圧抵抗を少なくした状態で、００１７記載の開口部４１から遠い部分に００２１記載のように設置固定された本体固定ジグの位置に移動させる。【００２４】次に、００２１記載のように設置固定された本体固定ジグと水路開閉装置本体を仮合体して図９、図１３に示すように合体用金物２４と締付けボルト２８を使用し、００２１記載のように設置固定された本体固定ジグと水路開閉装置本体を一体化し、さらに水路開閉装置本体締付け用固定ボルト３０で仮締付けする。【００２５】次に、締付け用ボルト受け金物を持つ連結用筒状管（左）３８、締付け用ボルト受け金物を持つ連結用筒状管（右）４０及び押し輪接続用筒状管３９を天井走行ホイスト４３で移動し、図１７に示す位置に仮置きする。【００２６】さらに、００２１記載のように設置固定された開口部４１から近い部分の本体固定ジグの位置に次の水路開閉装置本体を天井走行ホイスト４３で移動し、水路開閉装置本体を００２４記載のように設置する。【００２７】次に、図１７に示すように設置された２台の水路開閉装置の間に締付け用ボルト受け金物を持つ連結用筒状管３８、４０と押し輪接続用筒状管３９を天井走行ホイスト４３で吊り上げながら００２８記載のように組立てる。【００２８】まず、水路開閉装置本体の持つ自在受けリング金物６部分と締付け用ボルト受け金物５３を持つ連結用筒状管（左）３８を締付け用ボルト金物５２で図２２に示すように接続締付けする、また、他方の水路開閉装置本体の持つ自在受けリング金物６部分と締付け用ボルト金物５３を持つ連結用筒状管（右）４０を締付け用ボルト金物５２図２２に示すように接続締付けし、さらに連結用筒状管（左）３８と連結用筒状管（右）４０の接合部分にそれぞれ押し輪止水ゴム５７をはめ込み、押し輪リング５５と一体化された片側自在固定締付け用ボルト受け５６と押し輪接続用筒状管３９に一体化された片側自在固定締付け用ボルト５４で図２２に示すように接続締付けすれば端の水路開閉装置本体、連結用筒状管（左）３８、押し輪接続用筒状管３９と連結用筒状管（右）４０は止水された接続で一体化され図１８に示すようになる。【００２９】次に、００１８に記載の天井走行ホイスト４３用レールを図１８に示す位置まで取外す。【００３０】水路開閉装置本体は天井走行ホイスト４３で移動させるため、水路開閉装置上部２は複動式油圧シリンダー１３が取外され、補強されたちょうつがい部分１４で折りたたまれた状態にある、この複動式油圧シリンダー１３が取外され、補強されたちょうつがい部分１４で折りたたまれた状態にある水路開閉装置上部２部分を００３１記載の作業を行い図２、図３に示すようにする。【００３１】まず、水路開閉装置上部２を手動で起こし、取外された複動式油圧シリンダー１３を再度取付ける、水路開閉装置本体の縦長さは復旧しようとする既設大型排水路内部３１の高さ寸法より長く製作されているため複動式油圧シリンダー１３の加圧機を押し側にして加圧すれば、水路開閉装置上部２が起上り水路開閉装置本体の最上部にある上部止水ゴムが復旧しようとする既設水路の天井部分に接触する、さらに複動式油圧シリンダー１３の加圧機に加圧すれば、水路開閉装置上部２が垂直に近づくにつれ水路開閉装置本体は下方に押付けられ水路開閉装置上部２が垂直になった状態で、水路開閉装置本体４６の上下部分は復旧しようとする既設水路の天井部分と床部分に圧密接合され止水状態となる。【００３２】次に、００２４に記載された本体固定ジグと合体用金物の持つボルト受け２５に水路開閉装置本体締付け用固定ボルト３０で締付ければ、本体固定ジグ１８に貼りつけられた止水ゴム１９と水路開閉装置本体は圧密接合された止水状態となり、復旧しようとする既設水路の天井、床、両壁面の四方は図４に示す本体固定ジグと水路開閉装置本体により止水される。【００３３】次に、各水路開閉装置本体に取付けられた各加圧作動開閉耐重圧蓋３を複動式油圧シリンダー５の加圧機を押し側にして加圧し閉鎖すると、復旧しようとする既設水路の流水は図１８に示すように上流の水路開閉装置本体４６から連結用筒状管を通り下流の水路開閉装置本体に排出され、復旧しようとする既設水路の復旧部分４５の残留水を排除すれば、復旧部分４５は水のない状態となる。【００３４】また、前記の水路復旧方法を使用して既設水路に新設水路を接続し、断水不可能な既設水路の流水を確保しながら新設水路を構築して、既設大型水路から新設水路へ流路変更する方法について以下００３５から００４２記載する。【００３５】図１９に示す既設水路４８に新設水路４９を構築接続するため、既設水路４８の既設水路と新設水路の交差部分の流水をなくし作業エリア５０を確保する必要がある、まず図１９に示すように水路復旧方法を使用して作業エリア５０を確保できる長さの仮排水路４７を設置し、仮排水路４７の両端が交わる既設水路４８の上流部分と下流部分で大型水路復旧方法００１７から００２８記載の作業を行う。【００３６】次に、図２３に示すように水路開閉装置下部１の上部にジャッキ５８を仮セットし、ジャッキ５８で水路開閉装置下部１を下方へ押付け、水路開閉装置下部１の最下部に貼りつけられた止水ゴムと既設水路内部床部分を圧密接合させ止水状態にする。【００３７】次に、００２４に記載された本体固定ジグと合体用金物の持つボルト受け２５に水路開閉装置本体締付け用固定ボルト３０で締付ければ、本体固定ジグ１８に貼りつけられた止水ゴム１９と水路開閉装置本体は圧密接合された止水状態となり、復旧しようとする既設型水路の床、両壁面の三方は図４に示す本体固定ジグと水路開閉装置本体により止水される。【００３８】次に、００３３に記載する作業を行い、仮排水路４７の両端が交わる既設水路内の上流部分と下流部分に水のないエリア４５を設け、仮排水路４７の両端が交わる既設水路４８の上流部分と下流部分の壁５１に開口部を作り、既設水路４８の流水を仮排水路４７に流す準備をする。【００３９】次に、仮排水路４７が交わる既設水路４８の下流部分の水路開閉装置本体４６Ａと大型水路開閉装置本体４６Ｂの各加圧作動開閉耐重圧蓋３に取付けられた複動式油圧シリンダー５の加圧装置を引き側にして加圧し、各加圧作動開閉耐重圧蓋３を開放し、エリア４５部分に水を流した状態で、連結管を取外してから、水路開閉装置本体４６Ｂを取外し、さらに、仮排水路が交わる既設水路の上流部分の水路開閉装置本体４６Ａと水路開閉装置本体４６Ｂの各加圧作動開閉耐重圧蓋３を前記と同様に開放し、連結管を取外し、水路開閉装置本体４６Ａを取外す。【００４０】次に、既設水路の上流部分にある水路開閉装置本体４６Ａと下流部分の水路開閉装置本体４６Ａに取付けられた連結管接続丸穴８部分に自在受けリング金物６を使用して密閉蓋で塞ぎ、前記の各加圧作動開閉耐重圧蓋を閉鎖すれば、図２０に示すように既設水路の流水は仮排水路を流れる。【００４１】次に既設水路の上流部分にある水路開閉装置本体４６Ｂと下流部分の水路開閉装置本体４６Ａに００３６記載の仮セットされた各ジャッキ５８を取外し、前記の００２９から００３２に記載された作業を行えば、作業エリア５０部分の流水は遮断された状態となり、作業エリア５０部分の残留水を除けば、水のない作業エリア５０が確保され、新設水路４９を構築し、図２０に示すように既設水路と接続することができる。【００４２】次に、既設水路の上流部分の水路開閉装置本体４６Ｂの持つ前記の各加圧作動開閉耐重圧蓋を開放すれば、既設水路の流水は新設水路４９に流れる、次に、仮排水路が交わる既設水路の上流部分で００１７から００３３記載の作業を行い既設水路に空けた開口部分の壁を復旧して、水路復旧方法の機材をすべて取外せば流路変更工事は図２１に示すように完了する。
【産業上の利用可能性】
【００４３】近年、環境問題が重要課題として取上げられておりますが、歴史の長い上下水道の老朽化問題も環境問題の重要な一環です、また、地震に備えた耐震補強の必要性は下水道も同様であり、特に大型ボックスカルバートの耐震補強は緊急性を要するなど、都市開発などに伴うインフラストラクチャーの整備は、市民の生活に欠かせないライフラインとして、今後も整備が多く行われていくと考えられます、これらの下水道整備の大きな問題は、生活用水のため断水不可能な状態で、工事を行わなければならず、とくに雨水と汚水が合流して流れる下水道の工事は工事部分の流量が多く、さらに、天候に左右されるため困難を伴う工事もあります、この様な状況の工事に対し本発明の水路復旧方法が活用できるため産業上の利用価値が大きい。
【図面の簡単な説明】
【００４４】
【図１】水路開閉装置本体４６正面図である。
【図２】水路開閉装置本体４６側面図である。
【図３】水路開閉装置本体４６背面図である。
【図４】水路開閉装置本体固定ジグの姿図である。（本体固定ジグと呼ぶ）
【図５】水路開閉装置本体固定ジグの断面図である。
【図６】水路開閉装置本体固定ジグ固定金物の姿図である。（ジグ固定金物と呼ぶ）
【図７】本体固定ジグと水路開閉装置本体を一体化させる合体用金物の平面図である。（合体用金物と呼ぶ）
【図８】図７合体用金物の側面図である。
【図９】復旧部分の水路にジグ固定金物で本体固定ジグを取付け、本体固定ジグに合体用金物で水路開閉装置本体を取付けた状態の部分断面図である。
2009074337.tif 000003
【図１８】復旧部分の水路に水路開閉装置を取付け、作業エリアを水のない状態にした場合の図である。
【図１９】既設水路に仮排水路を設け、既設水路と仮排水路の接続部分に図１８のように水路開閉装置及び連結用筒状管をセットした図である。
【図２０】既設水路の流水を既設水路から仮排水路の流路変更した図である。
【図２１】新設水路の構築が完了し、既設排水路と新設排水路が接続された図である。
【図２２】水路開閉装置及び連結用筒状管をセットした詳細断面図である。
【図２３】水路開閉装置を本体固定ジグに取付け、水路開閉装置下部の最上部にジャッキ５８を仮セットした図である。
【符号の説明】
【００４５】  １  水路開閉装置下部
２  水路開閉装置上部
３  加圧作動開閉耐重圧蓋
４  補強されたちょうつがい
５  複動式油圧シリンダー（加圧作動開閉耐重圧蓋の開閉用）
６  自在受けリング金物（連結用筒状管接続用）
７  つなぎ補強リブ（表部分）
８  孔（連結管接続部分丸穴）
９  上部止水ゴム
１０  吊りピース
１１  合体金物ボルト受け（メス）
１２  下部止水ゴム
１３  複動式油圧シリンダー（本体の上部２折りたたみ用）
１４  補強されたちょうつがい（本体の上部２折りたたみ用）
１５  つなぎ補強リブ（裏部分）
１６  鋼管
１７  孔（通水丸穴）
１８  Ｌ型鋼材
１９  止水ゴム（本体固定ジグ用）
２０  ボルト受け（メス）
２１  ジグ固定金物
２２  丸穴
２３  丸穴
２４  合体用金物
２５  ボルト受け（メス）
２６  水路壁部分
２７  ホールインアンカー
２８  締付けボルト
２９  本体固定ジグ締付け用ボルト
３０  水路開閉装置本体締付け用ボルト
３１  水路内部
３２  天井ホイスト走行用ビーム
３３  電動ホイスト
３４  ホイスト
３５  チェーンブロック
３６  ビーム
３７  吊フック
３８  締付け用ボルト受け金物を持つ連結用筒状管（左）
３９  押し輪接続用筒状管
４０  締付け用ボルト受け金物を持つ連結用筒状管（右）
４１  水路開閉装置本体搬入用開口部
４２  開口部（送風用）
４３  天井走行ホイスト本体
４４  流水
４５  水のない作業エリア部分
４６  水路開閉装置本体
４６Ａ  上流部分水路開閉装置本体
４６Ｂ  下流部分水路開閉装置本体
４７  仮排水路
４８  既設水路
４９  新設水路
５０  既設水路と新設水路の接続作業エリア
５１  既設水路と仮排水路の接続部分の壁（壁を解体する部分）
５２  締付け用ボルト金物
５３  締付け用ボルト受け金物
５４  片側自在固定締付け用ボルト
５５  押し輪リング
５６  片側自在固定締付け用ボルト受け
５７  押し輪止水ゴム
５８  ジャッキ
【図１】
2009074337.tif 000004
【図２】
2009074337.tif 000005
【図３】
2009074337.tif 000006
【図４】
2009074337.tif 000007
【図５】
2009074337.tif 000008
【図６】
2009074337.tif 000009
【図７】
2009074337.tif 000010
【図８】
2009074337.tif 000011
【図９】
2009074337.tif 000012
【図１０】
2009074337.tif 000013
【図１１】
2009074337.tif 000014
【図１２】
2009074337.tif 000015
【図１３】
2009074337.tif 000016
【図１４】
2009074337.tif 000017
【図１５】
2009074337.tif 000018
【図１６】
2009074337.tif 000019
【図１７】
2009074337.tif 000020
【図１８】
2009074337.tif 000021
【図１９】
2009074337.tif 000022
【図２０】
2009074337.tif 000023
【図２１】
2009074337.tif 000024
【図２２】
2009074337.tif 000025
【図２３】
2009074337.tif 000026